(57)【要約】【課題】本発明の課題は、ミスコピーを低減して、ミスコピーによる時間のロスを抑えることができる画像読取装置及び画像形成装置を得ることである。【解決手段】原稿画像を読み取る読取部２５と、この読取部２５に読み取られた原稿画像を保存する読取画像メモリ２７と、この読取画像メモリ２７に保存された原稿画像を所定の回転角度に回転させた回転画像として変換する変換部３７とを備えているスキャナ１２であって、読取画像保存メモリ２７に保存された原稿画像及び変換部３７によって変換された回転画像を表示する表示部３３を備えている。【選択図】図２
2009010858.tif 000002
【特許請求の範囲】
【請求項１】
原稿画像を読み取るスキャナ手段と、このスキャナ手段に読み取られた原稿画像を保存する読取画像保存手段と、この読取画像保存手段に保存された原稿画像を所定の回転角度に回転させた回転画像として変換する変換手段と、を備えている画像読取装置であって、
読取画像保存手段に保存された原稿画像及び変換手段によって変換された回転画像を表示する表示手段を備えていることを特徴とする画像読取装置。
【請求項２】
表示手段に表示された画像の回転角度を指定するために使用者により操作される操作手段を備え、変換手段は、表示手段に表示された画像を操作手段に入力された指定角度に回転させた回転画像として変換することを特徴とする請求項１に記載の画像読取装置。
【請求項３】
スキャナ手段に読み取らせる原稿のサイズを検知するサイズ検知手段を備え、スキャナ手段は、サイズ検知手段が検知した範囲全体を読み取ることを特徴とする請求項１又は２に記載の画像読取装置。
【請求項４】
操作手段は、読取画像保存手段に保存された原稿画像及び変換手段によって変換された回転画像を表示手段に表示させるか否かを使用者に選択させるための表示選択部を備えていることを特徴とする請求項２又は３に記載の画像読取装置。
【請求項５】
請求項１乃至４の何れか１項に記載の画像読取装置と、この画像読取装置が読み取った原稿画像に基づく画像を形成する画像形成部とを備えていることを特徴とする画像形成装置。
【発明の詳細な説明】
【技術分野】
【０００１】
本発明は、原稿画像を読み取る画像読取装置及びプリンタ、ファクシミリ、複写機或いはこれらの複合機等の画像形成装置に関する。
【背景技術】
【０００２】
一般に、コンタクトガラス上に載置された原稿の画像（原稿画像）を読み取る画像読取装置（例えば、特許文献１参照）を有する画像形成装置において、本等のように両面に印刷されて綴じられている原稿（以後、「本原稿」と言う。）の見開き部分を読み取る場合、見開いた本原稿の左側のページを読み取った後、右側のページを読み取るために、左側のページを読み取った後、本原稿を１８０°回転させてコンタクトガラスに再載置する必要がある。この場合、読み取った原稿画像をそのままコピーして同じ方向にプリントアウトすると、このプリントアウトされた用紙の画像の方向が１ページ毎に逆さになった状態となるため、使用者は、プリントアウトされた用紙の画像が同じ方向になるように用紙を揃えなければならず、非常に手間がかかるものとなっていた。
【０００３】
そこで、見開いた本原稿の左右のページを判断し、一方のページの読取画像を１８０°回転させた画像データとして出力することによって上記不具合を解消する技術が知られている（例えば、特許文献２乃至５参照）。
【０００４】
【特許文献１】特開平５−０８１４０３号公報
【特許文献２】特開平５−３００３６０号公報
【特許文献３】特開平６−０８６０５０号公報
【特許文献４】特開２０００−１６５６１６号公報
【特許文献５】特開２００５−１１７６６６号公報
【発明の開示】
【発明が解決しようとする課題】
【０００５】
ところで、実際に本原稿を読み取る際においては、図５の（ａ）及び（ｂ）に示すように、本原稿１００をコンタクトガラス１０１上に載置するときの向きが、単純に１８０°異なった状態で混在する場合には、左右のページを判断し、何れかのときのみ読み取った原稿画像を１８０°回転させれば済む。
【０００６】
しかしながら、原稿が置き難かったり、途中で使用者が交代したりする等して、イレギュラーに本原稿を置く向きが変化し、図５の（ｃ）及び（ｄ）に示すように、初期の載置位置である図５（ａ）に対して９０°或いは２７０°回転させた向きが混在することがある。この場合、上述の従来技術のように、原稿画像を単純に１８０°回転させるだけでは、正しい向きでのプリントアウトを行えず、ミスコピーが増え、ミスコピーによる時間のロスが発生してしまうという問題がある。
【０００７】
本発明は、ミスコピーを低減して、ミスコピーによる時間のロスを抑えることができる画像読取装置及び画像形成装置を得ることを目的とする。
【課題を解決するための手段】
【０００８】
前記課題を解決する為に、請求項１に記載された発明は、原稿画像を読み取るスキャナ手段と、このスキャナ手段に読み取られた原稿画像を保存する読取画像保存手段と、この読取画像保存手段に保存された原稿画像を所定の回転角度に回転させた回転画像として変換する変換手段と、を備えている画像読取装置であって、読取画像保存手段に保存された原稿画像及び変換手段によって変換された回転画像を表示する表示手段を備えていることを特徴とする。
【０００９】
請求項２に記載された発明は、請求項１に記載された発明において、表示手段に表示された画像の回転角度を指定するために使用者により操作される操作手段を備え、変換手段は、表示手段に表示された画像を操作手段に入力された指定角度に回転させた回転画像として変換することを特徴とする。
【００１０】
請求項３に記載された発明は、請求項１又は２に記載された発明において、スキャナ手段に読み取らせる原稿のサイズを検知するサイズ検知手段を備え、スキャナ手段は、サイズ検知手段が検知した範囲全体を読み取ることを特徴とする。
【００１１】
請求項４に記載された発明は、請求項２又は３に記載された発明において、操作手段は、読取画像保存手段に保存された原稿画像及び変換手段によって変換された回転画像を表示手段に表示させるか否かを使用者に選択させるための表示選択部を備えていることを特徴とする。
【００１２】
請求項５に記載された発明は、請求項１乃至４の何れか１項に記載の画像読取装置と、この画像読取装置が読み取った原稿画像に基づく画像を形成する画像形成部とを備えていることを特徴とする画像形成装置である。
【発明の効果】
【００１３】
本発明によれば、読取画像保存手段に保存された原稿画像及び変換手段によって変換された回転画像を表示手段に表示するので、プリントアウトする前において、プリントアウトされる画像のイメージを使用者に表示することができるため、使用者による回転画像の修正等を行うことができる。この結果、ミスコピーを低減することができ、ミスコピーに起因する時間のロスの発生を抑制することができる。
【発明を実施するための最良の形態】
【００１４】
以下、添付図面を参照して、本発明の実施の形態を詳細に説明する。図１は本発明の実施の形態に係るカラー複写機を概略的に示す断面図であり、図２は図１の複写機の要部を示すブロック図であり、図３は図１の複写機における制御の流れを示すフローチャートである。
【００１５】
図１及び図２に示すように、このカラー複写機（画像形成装置）１０は、複数色のトナーによるカラー画像が作成可能であり、概して、使用者が操作する操作部１１を有するとともに原稿画像を読み取るスキャナ（画像読取装置）１２と、操作部１１からの入力信号に基づいてカラー複写機１０全体を制御し、各部を作動させる主制御部７と、スキャナ１２が読み取った原稿画像を形成する画像形成部８とを備えている。
【００１６】
この画像形成部８は、スキャナ１２からの画像情報（画像データ）を光情報として像担持体である感光体１４に書き込む書き込み部１３と、書き込み部１３によって感光体１４の表面に形成された静電潜像に、シアン、マゼンタ、イエロー及びブラックトナーを供給する現像部１５と、感光体１４の上記複数色のトナー像が順次転写されて重ね合わされる中間転写体１６と、この中間転写体１６に重ね合わされた複数色のトナー像をシートＰに転写する転写部１９と、給紙トレイ１からシートＰを１枚ずつ転写部１９へと給紙する給紙部１７と、シートＰ上のトナー像を定着させる定着部１８と備え、これらの各部によって原稿画像に対応する画像がシートＰ上にコピー（印刷）されるようになっている。
【００１７】
スキャナ１２は、このスキャナ１２に設けられた操作部１１からの入力信号に基づいてスキャナ１２全体を制御する作動制御部（表示制御手段）２１と、原稿が載置されるコンタクトガラス２３と、このコンタクトガラス２３に載置された原稿の原稿画像を読み取る読取部（スキャナ手段）２５と、この読取部２５に読み取られた原稿画像（原稿画像データ）を保存（記憶）する読取画像メモリ（読取画像保存手段）２７と、この読取画像メモリ２７に保存された原稿画像を回転させてなる回転画像（回転画像データ）を保存する回転画像メモリ２９と、コンタクトガラス２３に設けられ、コンタクトガラス２３に載置された原稿のサイズを検知するサイズ検知センサ（サイズ検知手段）３１と、読取部２５が読み取った画像のうち、画像形成部８に形成させる画像（画像データ）を画像形成部８に出力する出力部３２とを備えている。
【００１８】
尚、本実施の形態では、操作部１１はスキャナ１２に設けられているが、これに代えて、操作部１１を複写機１０の本体に設ける等しても良く、操作部１１の設置箇所は適宜変更可能である。また、本実施の形態では、原稿画像及び回転画像をそれぞれ独立した読取画像メモリ２７及び回転画像メモリ２９に保存しているが、これに代えて、原稿画像及び回転画像を単一のメモリに保存するようにしても良いことは言うまでもない。
【００１９】
読取部２５は、サイズ検知センサ３１が検知した原稿の範囲全体、即ち、コンタクトガラス２３上のうち、原稿のある部分全体（原稿全体）を読み取るようになっており、この読取部２５によって読み取られた原稿画像データは読取画像メモリ２５に保存される。
【００２０】
操作部１１には、使用者に対するメッセージ、装置の状態を示すメッセージ、操作ガイダンス或いは各メモリ２７、２９に保存された画像データに基づく原稿画像（イメージ）を表示するＬＣＤ等の表示部（表示手段）３３と、この表示部３３に原稿画像を表示させるか否かを使用者に選択させるためのタッチパネル等の選択スイッチ（表示選択部）３５とが設けられている。
【００２１】
本実施の形態では、使用者が選択可能なモードとして、通常の原稿（シート状の原稿）を読み取る通常原稿モード、本原稿を読み取るのみの本原稿モード、及びこの本原稿モードにおいて原稿画像を事前に表示する表示モードの３つのモードが用意されており、使用者は選択スイッチ３５によってこれらの何れかのモードを選択できるようになっている。そして、本原稿モード時においては、偶数ページは読取部２５によって読み取られた原稿画像を、後述する変換部３７によって１８０°回転された回転画像として出力部３２を介して画像形成部８に出力し、画像形成部８によってコピー動作が行われるようになっている。
【００２２】
作動制御部２１は、読取画像メモリ２７に保存された原稿画像を所定の回転角度に回転させた回転画像として変換する変換部３７と、読取部２５による読み取り動作の回数（ページ数）をカウントするカウンタ４０を備えている。変換部３７は、読取部２５に読み取られた原稿画像を、操作部１１からの操作信号に応じた回転角度（言い換えれば、使用者によって操作部１１に入力された指定回転角度）、例えば、９０°、１８０°、２７０°等の回転角度に回転させた回転画像として変換するものであり、この変換部３７で変換された回転画像は、回転画像メモリ２９に保存されるようになっている。尚、原稿画像の回転角度としては、上述した数値に限定されず、例えば、操作部１１を操作することにより、その回転角度を適宜設定可能であることは言うまでもない。
【００２３】
次に、図３のフローを参照しながら、第１実施の形態の作用を説明する。シート状の原稿を読み取ってコピーする際においては、使用者は操作部１１の選択スイッチ３５を操作して、通常原稿モードを選択する（ステップＳ１でＮｏ）。この場合、作動制御部２１は、読取部２５にサイズ検知センサ３１が検知した原稿の範囲全体を読み取らせ、この読み取った原稿画像をそのまま出力部３２を介して画像形成部８に送る。これにより、画像形成部８が、送られてきた原稿画像に対応した画像をシートＰにコピーする（ステップＳ２）。
【００２４】
また、本原稿を読み取ってコピーする際においては、使用者は選択スイッチ３５によって、本原稿モード或いは表示モードの何れかを選択する。先ず、使用者が本原稿モードを選択した場合には（ステップＳ１でＹｅｓ、ステップＳ３でＮｏ）、読取部２５は、本原稿の左側のページ（１ページ目、３ページ目等の奇数ページ）から右側のページ（２ページ目、４ページ目等の偶数ページ）へと順次読み取り、この読み取り動作毎に作動制御部２１のカウンタ４０が読み取り毎に読み取りページをカウントして行く（ステップＳ４）。
【００２５】
作動制御部２１においては、カウンタ４０の値（読み取ったページ数）を監視しており（ステップＳ５）、読み取ったページが奇数ページであった場合には（ステップＳ６でＮｏ）、読み取った原稿画像をそのまま出力部３２を介して画像形成部８に送って奇数ページの画像をシートＰに形成させる（ステップＳ８）。また、読み取ったページが偶数ページであった場合には（ステップＳ６でＹｅｓ）、変換部３７に読み取った原稿画像（イメージ）を１８０°回転させた回転画像とし、この回転画像を出力部３２を介して画像形成部８に送ることにより、画像形成部８による偶数ページの画像のコピーが行われる（ステップＳ８）。このような動作を最終ページまで繰り返し行い（ステップＳ９でＮｏ、ステップＳ１０）、最終ページになったときには（ステップＳ９でＹｅｓ）、上述のステップＳ５〜Ｓ８までの一連の動作を終了する。
【００２６】
一方、使用者が表示モードを選択した場合には（ステップＳ１でＹｅｓ、ステップＳ３でＹｅｓ）、読取部２５が読み取った原稿画像を全て読取画像メモリ２７に保存する（ステップＳ１１）。その後、読取画像メモリ２７に保存された全原稿画像のうち、偶数ページの原稿画像を変換部３７によって１８０°回転させた回転画像に変換し、この回転画像を回転画像メモリ２９に保存する（ステップＳ１２）。
【００２７】
そして、操作部１１の表示部３３に、全原稿画像を１ページ目から順次表示する（ステップＳ１３及びステップＳ１４）。具体的には、奇数ページにおいては、画像読取メモリ２７に保存された原稿画像を表示し、偶数ページにおいては、回転画像メモリ２９に保存された１８０°回転された回転画像を表示する。
【００２８】
使用者は表示部３３に表示された画像を見て、修正の必要があると判断した場合には、操作部１１を操作して、表示部３３に表示された画像を基準として、何度回転させるのかを指定することにより（ステップＳ１５でＹｅｓ、ステップＳ１６）、変換部３７は表示された画像を指定された回転角度に回転させた回転画像に変換して回転画像メモリ２９に保存するとともに、作動制御部２１はこの保存された回転画像（修正後の画像）を表示部３３に表示し（ステップＳ１７）、この表示された画像で問題がない場合には（ステップＳ１５でＮｏ）、この画像を印刷用画像（プリントアウトイメージ）として読取画像メモリ２７に保存する（ステップＳ１８）。尚、この印刷用画像を回転画像メモリ２９に保存するようにしたり、或いは、印刷用の画像のみを保存するメモリを別途設けて、ここに保存するようにしたりしても良い。
【００２９】
一方、表示部３３に表示された画像を見て修正の必要がないと判断した使用者は、操作部１１を操作して、今表示されている画像で印刷をする旨の信号を作動制御部２１に送ることにより、作動制御部２１は今表示している画像を印刷用画像として読取画像メモリ２７に保存する（ステップＳ１５でＮｏ、ステップＳ１８）。
【００３０】
このような表示及び修正動作を各ページ毎に繰り返し行って行き（ステップＳ１９〜Ｓ２４）、最終ページになったら、印刷用画像を画像形成部８に送信することにより、画像形成部８が送信された印刷用画像に基づいた画像を、シートＰに順にコピーする（ステップＳ２６）。
【００３１】
以上、説明したように、本実施の形態では、コピー前にコピーする画像を表示部３３に表示するので、プリントアウトする前において、プリントアウトされる画像のイメージを使用者に表示することができるため、使用者による回転画像の修正等を行うことができる。この結果、ミスコピーを低減することができ、ミスコピーに起因する時間のロスの発生を抑制することができる。
【００３２】
また、操作部１１への操作入力により、表示部３３に表示された画像の回転角度を指定することができるので、コンタクトガラス２３上に本原稿等が若干傾いて載置されたとしても、この傾きを修正することを容易に行うことができる。
【００３３】
更に、本実施の形態では、読取部２５は、サイズ検知センサ３１が検知した原稿の全範囲を読み取るので、全原稿の一部分のみ（図５（ｃ）の一点鎖線参照）が読み取られるといった不具合を防止することができ、確実に原稿全体を読み取ることができる。
【００３４】
また、使用者は操作部１１への操作入力により、通常原稿モード、本原稿モード、及び表示モードの３つのモードの何れかを選択できるようになっているので、使用者が求めるモードを設定することができ、不必要な時間のロスを防止することができる。
【００３５】
本発明は上述した実施の形態に限定されず、その要旨を逸脱しない範囲内において、種々の変形が可能である。尚、以後に説明する変形例においては、上述した実施の形態と同様な構成要素には、同一の符号を付することによってその説明を簡略化するものとする。
【００３６】
例えば、上述した実施の形態では、通常原稿モード、本原稿モード及び表示モードの３つのモードを設けたが、これに代えて、上述の通常原稿モードと、読取部２５に読み取った原稿画像をチェックするための読取原稿チェックモードの２つのモードのみを設けるようにしても良い。この場合の制御フローを図４に示す。
【００３７】
この図４に示すように、使用者が読み取った原稿画像をチェックする必要がないと感じる場合には、選択スイッチ３５により通常原稿モードを選択し（ステップＳ３０でＮｏ）、通常のコピー動作を行う（ステップＳ２）。一方、読み取った原稿画像をチェックしたい場合には、選択スイッチ３５により読み取り原稿チェックモードを選択して（ステップＳ３０でＹｅｓ）、表示部３３に読み取った原稿を順次表示させ、修正の必要のある原稿に対しては回転角度を調整する操作を最終ページまで繰り返し、全ての原稿の印刷用画像を決定することにより、これらの印刷用画像に対応した画像が画像形成部８によりコピーされる（ステップＳ１１〜ステップＳ２６）。
【００３８】
また、上述した実施の形態では、変換部３７は、読取画像メモリ２７の画像を、操作部１１からの入力信号に基づいた回転角度に回転させたが、これに代えて、読取部２５による原稿画像の読み取りが行われ、読取画像メモリ２７に原稿画像が保存されたのを契機に、このメモリ２７に保存された原稿画像を、例えば、９０°、１８０°、２７０°等の予め設定された複数の回転角度に自動的に変換して、回転画像メモリ２９に保存するようにしても良い。この場合、上述した実施の形態と同様な作用効果を奏するとともに、使用者が操作部１１を介して回転角度を指定しなくても、複数の回転角度に変換された回転画像を表示部３３に表示することができ、使用者の利便性を高めることができる。
【００３９】
更に、上述した実施の形態では、画像形成装置としてカラー複写機を例にとって説明したが、画像形成装置としてはこれに限定されず、モノクロの複写機であっても良い。また、複写機のみならず、プリンタ、ファクシミリ或いはこれらと複写機との複合機であっても良く、何れの場合であっても上述した実施の形態と同様な作用効果を奏する。
【図面の簡単な説明】
【００４０】
【図１】本発明の実施の形態に係るカラー複写機を概略的に示す断面図である。
【図２】図１の複写機の要部を示すブロック図である。
【図３】図１の複写機における制御の流れを示すフローチャートである。
【図４】変形例に係る複写機における制御の流れを示すフローチャートである。
【図５】コンタクトガラス上に載置される本原稿の状態を模式的に説明する模式図である。
【符号の説明】
【００４１】
８        画像形成部
１０      カラー複写機（画像形成装置）
１１      操作部
１２      スキャナ（画像読取装置）
２１      作動制御部（表示制御手段）
２５      読取部（スキャナ手段）
２７      読取画像メモリ（読取画像保存手段）
３１      サイズ検知センサ（サイズ検知手段）
３３      表示部（表示手段）
３５      選択スイッチ（表示選択部）
３７      変換部（変換手段）
【図１】
2009010858.tif 000003
【図２】
2009010858.tif 000004
【図３】
2009010858.tif 000005
【図４】
2009010858.tif 000006
【図５】
2009010858.tif 000007